(57)【要約】【課題】  メイン電源端子とチューニング用電源端子とを有して放送を受信するチューナーと、複数の電圧を出力する電源トランスと、映像を表示するブラウン管と、該ブラウン管に高圧を供給するフライバックトランスを備えたテレビジョン受信機であって、スタンバイ状態ではチューナーへのチューニング電源が自動的に切れるようにしたテレビジョン受信機の提供。【解決手段】  フライバックトランスの巻線１に上記チューナーのメイン電源端子２ｄと上記チューナーのチューニング電源端子２ｆを設け、夫々の巻線から出力されるパルス電圧を整流する整流回路と該整流回路から得られる電圧を安定化する定電圧回路とを設けている。チューナーのメイン電源端子用の巻線の定電圧回路から得られた直流電圧を上記チューナーのメイン電源端子２ｄに供給する電源とし、そして上記チューナーのチューニング電源端子用の巻線の定電圧回路から得られた直流電圧を上記チューナーのチューニング電源端子２ｆに供給する電源とする。【選択図】    図１
0003101950.tif 000002
【実用新案登録請求の範囲】
【請求項１】
メイン電源端子とチューニング用電源端子とを有して放送を受信するチューナーと、複数の電圧を出力する電源トランスと、映像を表示するブラウン管と、該ブラウン管に高圧を供給するフライバックトランスを備えたテレビジョン受信機において、上記フライバックトランスの巻線に上記チューナーのメイン電源端子用の巻線と上記チューナーのチューニング電源端子用の巻線を設け、夫々の巻線から出力されるパルス電圧を整流する整流回路と該整流回路から得られる電圧を安定化する定電圧回路とを設け、上記チューナーのメイン電源端子用の巻線の定電圧回路から得られた直流電圧を上記チューナーのメイン電源端子に供給する電源とし、そして上記チューナーのチューニング電源端子用の巻線の定電圧回路から得られた直流電圧を上記チューナーのチューニング用電源端子に供給する電源としたことを特徴とするテレビジョン受信機。
【請求項２】
メイン電源端子とチューニング用電源端子とを有して放送を受信するチューナーと、複数の電圧を出力する電源トランスと、映像を表示するブラウン管と、該ブラウン管に高圧を供給するフライバックトランスを備えたテレビジョン受信機において、上記フライバックトランスの巻線に上記チューナーのチューニング電源端子用の巻線と、上記チューニング電源端子用の巻線から出力されるパルス電圧を整流する整流回路と該整流回路から得られる電圧を安定化する定電圧回路とを設け、上記電源トランスのマイクロコンピュータ用の電源から得られた直流電圧を上記チューナーのメイン電源端子に供給する電源とし、上記フライバックトランスの巻線のチューニング電源端子用の巻線の定電圧回路から得られた直流電圧を、上記チューナーのチューニング電源端子に供給する電源としたことを特徴とするテレビジョン受信機。
【請求項３】
上記フライバックトランスの上記チューナーのチューニング電源端子用の巻線を、水平ＡＦＣ回路用巻線と兼用した請求項１、又は請求項２記載のテレビジョン受信機。
【請求項４】
メイン電源端子とチューニング用電源端子とを有して放送を受信するチューナーと、複数の電圧を出力する電源トランスと、映像を表示するブラウン管と、該ブラウン管に高圧を供給するフライバックトランスを備えたテレビジョン受信機の上記フライバックトランスにおいて、チューナーのチューニング用電源端子に電圧を供給する為の巻線と、チューナーのメイン電源端子に電圧を供給する為の巻線とを備えたことを特徴とするテレビジョン受信機用フライバックトランス。
【考案の詳細な説明】
【技術分野】
【０００１】
本考案はテレビジョン受信機、特にフライバックトランスに特徴を有すテレビジョン受信機に関するものである。
【背景技術】
【０００２】
文字多重放送受信機能付きテレビジョン受信機は、画面上に映像が表示されないスタンバイ状態でも文字多重情報を解読し、テレビジョン受信機内で記憶しておき、文字情報を得ようとする場合には即座に必要な情報を表示する機能を備えている。この為に、文字多重放送受信機能付きテレビジョンは、スタンバイ状態でもチューナー回路と映像検波回路、及び文字多重信号復調回路が動作するように構成されている場合もある。一方、文字多重放送受信機能が付いていないテレビジョン受信機においては、スタンバイ状態ではチューナー回路は動作する必要がないため、チューナー回路への電源供給を停止させるように構成している。
【０００３】
テレビジョン受信機においては、チューナー回路のチューニング電圧(ＢＴ)はメイン電圧より高い３０Ｖ程度であるが、このチューニング電圧を供給する為に偏向出力回路に電力を供給する偏向出力電源回路から電圧低下抵抗を通してチューナー回路に電力を供給したり、チューナー回路専用の電力供給回路として、電源トランスにチューニング電圧専用の巻線を設け、この巻線からの出力端子と整流回路及び平滑回路を設け、これらを通してチューナー回路に電力を供給するようにしている。
【０００４】
図５に示す回路はチューナー回路専用の電力供給回路として、電源トランスにチューニング電圧専用の巻線を設け、この巻線からの出力端子と整流ダイオード及び平滑コンデンサを設け、これらを通してスイッチを介してチューナー回路に電力を供給するようにしている。従って、スタンバイ時には該チューナーを動作させる必要がない為に、チューニング電圧の供給を切る為のスイッチが必要となる。
【０００５】
図６に示す回路は、上記チューニング電圧を供給する為に偏向出力回路に電力を供給する偏向出力電源回路から電圧低下抵抗を通してチューナー回路にチューニング電圧３２Ｖを供給している。この偏向出力回路に電力を供給する偏向出力電源回路から、電圧降下抵抗を通してチューナーにチューニング電圧を供給する場合には、元の電圧が１３０Ｖと高い為にスイッチの定格が大きなものが必要となり、コストアップをもたらす。
【０００６】
ところで、スタンバイ時の電源回路の電力損失が削減でき、電源トランスと電源回路を小型化できるテレビジョン受信機として、特開平７−２１２６７７号に係る「テレビジョン受信機」が知られている。これは、テレビジョン受信機の画面の表示状態に応じてチューナー回路への電力供給元を切り替えることが出来る。すなわち、偏向出力電源回路から偏向出力回路に電力が供給され、画面上に映像が表示されている状態では、音声出力電源回路からチューナー回路への電力供給を遮断し、チューナー回路への電力は偏向出力電源回路から供給する。一方、偏向出力電源回路から偏向出力回路への電力供給が遮断されて画面上に映像が表示されていない状態では、偏向出力電源回路からチューナー回路への電力供給を遮断し、チューナー回路への電力は音声出力電源回路から供給する。
しかし、このテレビジョン受信機の場合は目的も異なり、そのチューニング電圧はスタンバイ時であっても電力損失がゼロではない。
【特許文献１】特開平７−２１２６７７号に係る「テレビジョン受信機」
【考案の開示】
【考案が解決しようとする課題】
【０００７】
このように従来のテレビジョン受信機におけるチューナーへのチューニング電圧の供給に関して上記のごとき問題がある。本考案が解決しようとする課題はこの問題点であり、スタンバイ時にはチューニング電圧が作用しないようにする為に特別なスイッチを設けることなく、回路構成によって電源を遮断したテレビジョン受信機を提供する。
【課題を解決するための手段】
【０００８】
ブラウン管に映像を映すようにしたテレビジョン受信機には、ブラウン管に高電圧を供給する為のフライバックトランスが設けられ、該フライバックトランスの入力側(１次巻線側)は偏向回路用電源と水平出力回路が接続され、出力側(２次巻線側)はブラウン管と接続しているが、その他にも出力用の巻線(３次巻線)が設けられており、この３次巻線にチューナーのメイン電源端子用巻線とチューニング電圧用巻線を設けている。そして該巻線から延びる回路に整流回路及び定電圧回路を設け、これらを通してチューナーにメイン電圧及びチューニング電圧を供給している。
【０００９】
又、フライバックトランスのＡＦＣ巻線から整流回路及び低電圧回路を設け、これらを通してチューナーにチューニング電圧を供給することが出来る。すなわち、フライバックトランスの３次巻線であるＡＦＣ巻線からは、パルス状の電圧が出力されるが、その最大電圧が１００Ｖ程度と高い為、ＡＦＣ巻線から整流回路及び定電圧回路を設け、これらを通してチューナーにチューニング電圧を供給することが出来る。一方、チューナーのメイン電圧は、フライバックトランスに設けた専用巻線からの出力端子と整流回路及び定電圧回路を通して供給される。
ここで、チューナーのメイン電圧はフライバックトランスではなく、電源トランスから供給することも可能である。
【考案の効果】
【００１０】
本考案のテレビジョン受信機では、そのチューナーにフライバックトランスからチューニング電圧を供給することが出来る。そして、スタンバイ時にはフライバックトランスが動作しない為に、チューナーへのチューニング電圧の供給が停止する。従って、スタンバイ時にチューナーへのチューニング電圧の供給を遮断する為のスイッチを設ける必要がなくなり、スイッチ及び該スイッチの取付け作業に基づくコストの削減を図ることが出来る。勿論、スタンバイ時にはチューナーへの電力供給が停止されることで省エネとなる。
【実施例】
【００１１】
図１は本考案に係るテレビジョン受信機を構成するフライバックトランスからチューナーへの電力供給回路を示している。３次巻線側の巻線１には複数の端子２ａ，２ｂ・・が設けられ、その一部端子２ｄ，２ｆはチューナーの電源として使用される。フライバックトランスの巻線１の端子２ｄには整流ダイオード及び平滑コンデンサを設け、５Ｖの直流電圧がチューナーのメイン電源として供給される。
【００１２】
一方、フライバックトランスの巻線１の端子２ｆには、同じように整流ダイオード及び平滑コンデンサを設け、３２Ｖの直流電圧がチューナーのチューニング電圧の電源として供給される。テレビの画面上に映像が表示されないスタンバイ状態では、映像、音声、同期、偏向信号処理回路への電源が遮断される為に、水平偏向回路もフライバックトランスも動作が止まることでチューナーへの電圧供給は切れ、従来のような特別なスイッチを必要としない。
【００１３】
図２は本考案に係る他の実施例であり、３次巻線側の巻線１には複数の端子２ａ，２ｂ・・が設けられ、その一部端子２ａ，２ｄはチューナーの電源として使用される。フライバックトランスの巻線１の端子２ｄには整流ダイオード及び平滑コンデンサを設け、５Ｖの直流電圧がチューナーのメイン電源として供給される。
【００１４】
一方、端子２ａからはＡＦＣへ導かれるが、この電源をチューナーのチューニング電圧用電源として構成している。端子２ａから延びるリード線が分かれ、抵抗、平滑コンデンサ、及び整流ダイオードを介して３２Ｖの直流電圧としてチューナーのチューニング電圧として供給される。
【００１５】
図３は本考案に係る別の実施例である。前記図１及び図２に示した電気回路では、チューナーのメイン電圧とチューニング電圧は共にフライバックトランスから供給している。しかし、この図３に示す実施例では、メイン電圧は電源トランスから供給され、チューニング電圧だけがフライバックトランスから供給する電気回路と成っている。
【００１６】
電源トランスの巻線３には複数の端子４ａ，４ｂ・・が設けられ、端子４ｃから延びるリード線には整流ダイオード及び平滑コンデンサが設けられ、スイッチを介してメイン電圧としてチューナーに供給される。一方、フライバックトランスには複数の端子２ａ，２ｂ・・が設けられ、その中の端子２ｅはチューナーのチューニング電圧の電源として使用される。すなわち、整流ダイオード及び平滑コンデンサを設け、３２Ｖの直流電圧がチューナーのチューニング電圧の電源として供給される。
【００１７】
図４は更なる他の実施例であり、メイン電圧は電源トランスから供給され、チューニング電圧だけがフライバックトランスから供給した電気回路と成っている。電源トランスの巻線３の一部端子４ｃから延びるリード線には整流ダイオード及び平滑コンデンサが設けられ、スイッチを介してメイン電圧としてチューナーに供給される。
【００１８】
一方、フライバックトランスの端子２ａからはＡＦＣへ導かれるが、この電源をチューナーのチューニング電圧用電源として構成している。端子２ａから延びるリード線が分かれ、抵抗、平滑コンデンサ、及び整流ダイオードを介して３２Ｖの直流電圧としてチューナーのチューニング電圧として供給される。
【００１９】
図３、図４の実施例ではチューナーのメイン電圧は電源トランスから導かれる回路と成っている。そして、チューナーへのリード線にはスイッチが設けられ、該スイッチはマイクロコンピュータにて制御され、電源スイッチがＯＦＦされると同時にメイン電圧のスイッチも切られる。
【図面の簡単な説明】
【００２０】
【図１】本発明に係るテレビジョン受信機のチューナーへの電圧供給回路。
【図２】本発明に係るテレビジョン受信機のチューナーへの電圧供給回路。
【図３】本発明に係るテレビジョン受信機のチューナーへの電圧供給回路。
【図４】本発明に係るテレビジョン受信機のチューナーへの電圧供給回路。
【図５】従来のテレビジョン受信機のチューナーへの電圧供給回路。
【図６】従来のテレビジョン受信機のチューナーへの電圧供給回路。
【符号の説明】
【００２１】
１  巻線
２  端子
３  巻線
４  端子
【図１】
0003101950.tif 000003
【図２】
0003101950.tif 000004
【図３】
0003101950.tif 000005
【図４】
0003101950.tif 000006
【図５】
0003101950.tif 000007
【図６】
0003101950.tif 000008